(57)【要約】【課題】  座席ごとにカードリーダを設ける必要がなく、キーワードの入力等の煩雑な手続きが不要で、しかも、座席を特定した出席者の管理を行うことができる出席管理システムを提供すること。【解決手段】  受講生ＳＴは、任意の或いは指定された机ＤＥＳに着席することで、アンテナ３３ａの検出圏内に受講生ＳＴが携帯していたＩＤカードＴＡをかざすことになる。この結果、無線タグ用リーダ・ライタ３３が動作して、受講生ＳＴが装着するとともに無線タグを内蔵するＩＤカードＴＡから、受講生ＳＴの受講生ＩＤ情報を読み取る。教室管理装置では、席の位置情報と受講生ＩＤ情報とを関連付けて保存するとともに、出欠状況をマップ画像としてディスプレイ上に表示する。【選択図】  図１
2005267355.tif 000002
【特許請求の範囲】
【請求項１】
会場の部屋に設けた席に取り付けられるとともに、当該席の位置情報を示すカード又はタグ状の位置情報記憶媒体と、
前記位置情報記憶媒体から位置情報を読み取り可能であるとともに、個人認証情報を有し出席者が携行すべき認証情報記憶媒体から個人認証情報を読み取る情報読取装置と、
前記情報読取装置によって前記位置情報記憶媒体から得た位置情報と、前記情報読取装置によって前記認証情報記憶媒体から得た個人認証情報とを符合させて管理する管理手段と
を備える出席管理システム。
【請求項２】
前記位置情報記憶媒体及び前記認証情報記憶媒体は、それぞれ無線タグ、ＩＣカード、及びバーコードのいずれかであることを特徴とする請求項１記載の出席管理システム。
【請求項３】
会場の部屋に設けた席に取り付けられて位置情報を予め保持するとともに、個人認証情報を有し出席者が携行すべき認証情報記憶媒体から個人認証情報を読み取る情報読取装置と、
前記情報読取装置によって得た個人認証情報と位置情報とを符合させて管理する管理手段と
を備える出席管理システム。
【請求項４】
前記認証情報記憶媒体は、それぞれ無線タグ、ＩＣカード、及びバーコードのいずれかであることを特徴とする請求項３記載の出席管理システム。
【請求項５】
前記認証情報記憶媒体は、無線タグであり、前記情報読取装置は、複数の席に対応してそれぞれ設けた複数のアンテナと、当該複数のアンテナを介して前記無線タグとの間で交信する本体処理装置とを備えることを特徴とする請求項４記載の出席管理システム。
【請求項６】
前記管理手段は、前記情報読取装置を介して得た個人認証情報及び位置情報に基づいて、部屋への出席者の部屋内における着座位置を図示する図示手段を備えることを特徴とする請求項１から請求項５のいずれか一項記載の出席管理システム。
【請求項７】
前記管理手段は、前記出席者である受講者及び講師の個人認証情報と位置情報とを併せてリアルタイムで管理することを特徴とする請求項１から請求項６のいずれか一項記載の出席管理システム。
【請求項８】
前記情報読取装置は、講師が携行すべき講師情報情報記憶媒体から管理者情報を読み取り、前記認証情報記憶媒体、前記位置情報記憶媒体、及び、前記講師情報情報記憶媒体の少なくとも１つは、部屋を特定する部屋情報を有しており、前記管理手段は、前記情報読取装置から得た前記部屋情報と、前記講師情報と、前記個人認証情報に対応させて読み取った時刻に関する時間情報とに基づいて、講演の内容を識別する識別手段を有することを特徴とする請求項１記載の出席管理システム。
【請求項９】
前記情報読取装置は、講師が携行すべき講師情報情報記憶媒体から管理者情報を読み取り、前記情報読取装置、前記認証情報記憶媒体、及び、前記講師情報情報記憶媒体の少なくとも１つは、部屋を特定する部屋情報を有しており、前記管理手段は、前記情報読取装置から得た部屋情報と、講師情報と、前記個人認証情報に対応させて読み取った時刻に関する時間情報とに基づいて、講演の内容を識別する識別手段を有することを特徴とする請求項３記載の出席管理システム。
【請求項１０】
部屋の状態を撮影するカメラと、当該カメラによる撮影対象を制御する撮像制御手段とをさらに備え、
前記管理手段は、指定された位置情報又は指定された個人認証情報に対応する位置情報に基づいて、当該位置情報に対応する場所の様子を前記撮像制御手段を介して前記カメラに撮影させることを特徴とする請求項１から請求項９のいずれか一項記載の出席管理システム。
【請求項１１】
部屋におけるイベントの進行を録画する録画装置をさらに備え、当該録画装置は、前記撮像制御手段によって位置情報に対応する場所の様子を前記カメラに撮影させた場合に、当該カメラに撮影させた画像情報を保存することを特徴とする請求項１０記載の出席管理システム。
【請求項１２】
前記管理手段は、前記カメラに撮影させた画像情報を用いて個人認証を行うことを特徴とする請求項１０及び請求項１１０のいずれか一項記載の出席管理システム。
【請求項１３】
部屋から離れた遠隔地に設置されるとともに当該遠隔地における視聴覚的な参加を可能にする遠隔参加ユニットをさらに備え、当該遠隔参加ユニットは、個人認証情報を有し参加者が携行すべき認証情報記憶媒体から遠隔地の位置情報に関連付けて個人認証情報を読み取る遠隔情報読取装置と、当該遠隔情報読取装置で読み取った情報を前記管理手段に送信する送信手段とをさらに備えることを特徴とする請求項１から請求項５のいずれか一項記載の出席管理システム。
【請求項１４】
前記遠隔参加ユニットは、前記遠隔参加ユニットを利用している参加者の様子を撮影する遠隔撮影装置を有し、前記管理手段は、部屋の担当者の操作によって前記遠隔参加ユニットを利用している特定の参加者を指定する指定手段と、当該指定手段によって指定された参加者の様子を前記遠隔撮影装置に撮影させる指令送信装置とを備える請求項１３記載の出席管理システム。
【請求項１５】
前記管理手段は、複数の部屋で行われる複数回のイベントごとに個人認証情報と位置情報とを併せて管理することを特徴とする請求項１から請求項１４のいずれか一項記載の出席管理システム。
【請求項１６】
前記認証情報記憶媒体は、無線タグであり、前記認証情報記憶媒体から認証情報を読み取る補助情報読取装置を部屋の出入口にさらに備え、前記管理手段は、前記補助情報読取装置の出力に基づいて途中の入退場を監視することを特徴とする請求項１から請求項１５のいずれか一項記載の出席管理システム。
【請求項１７】
前記情報読取装置は、着席した出席者が操作可能なスイッチをさらに備えることを特徴とする請求項３から請求項５のいずれか一項記載の出席管理システム。
【請求項１８】
前記情報読取装置は、前記認証情報記憶媒体から個人認証情報が所定のタイミングで所定回数回読み取られた場合に、出席者が所定の意思表示をしているものと判断することを特徴とする請求項１７記載の出席管理システム。
【発明の詳細な説明】
【技術分野】
【０００１】
本発明は、無線タグ等を用いた出席管理システムに関し、特に個人認証等に関連付けて不正な出席や虚偽の出席を防止することができる出席管理システムに関する。
【背景技術】
【０００２】
従来の出席管理システムとして、座席ごとにカードリーダと着座センサをセットして設け、着座情報とカード情報から座席利用の正誤を管理するものがある（特許文献１参照）。
【０００３】
また、別の出席管理システムとして、学生が携帯する携帯端末を利用してキーワードを入力させ、適正な入力があった場合に、その在席を確認するものもある（特許文献２参照）。
【０００４】
さらに、社員等にＳＡＷ−ＩＤカードを携行させ、職場内の要所に配置したＳＡＷ−ＩＤパルス送受信機を利用して位置情報を検出するものもある（特許文献３参照）。
【特許文献１】特開平１０−７４２７５号公報
【特許文献２】特開２００２−２９０５６１号公報
【特許文献３】特開２００３−２６３６１２号公報
【発明の開示】
【発明が解決しようとする課題】
【０００５】
しかし、最初の出席管理システムは、座席ごとにカードリーダを設ける必要があり、システムが高価なものとなる。
【０００６】
また、次の出席管理システムは、キーワードの入力が煩雑である。また、学生に携帯端末を所持させることは、出席手続きを煩雑にし、システムのコストを増加させる。
【０００７】
また、最後の管理システムでは、入室を確認することはできても、座席を特定した出席者の管理を行うことができない。
【０００８】
そこで、本発明は、座席ごとにカードリーダを設ける必要がなく、キーワードの入力等の煩雑な手続きが不要で、しかも、座席を特定した出席者の管理を行うことができる出席管理システムを提供することを目的とする。
【課題を解決するための手段】
【０００９】
上記課題を解決するため、本発明に係る第１の出席管理システムは、会場である部屋に設けた席に取り付けられるとともに、当該席の位置情報を示すカード又はタグ状の位置情報記憶媒体と、前記位置情報記憶媒体から位置情報を読み取り可能であるとともに、個人認証情報を有し出席者が携行すべき認証情報記憶媒体から個人認証情報を読み取る情報読取装置と、前記情報読取装置によって前記位置情報記憶媒体から得た位置情報と、前記情報読取装置によって前記認証情報記憶媒体から得た個人認証情報とを符合させて管理する管理手段とを備える。ここで、上述の「部屋」とは、上記出席管理システムが講義における出欠管理を目的とする場合、教室や講義室を意味する。また、「席」とは、座席そのもの限らず座席に対応して存在する机も含むものとする。この第１出席管理システムの場合、カードリーダ等の情報読取装置を回覧するだけで、位置情報と個人認証情報とを併せて管理することができ、キーワード入力といった煩雑な作業が不要となる。
【００１０】
上記出席管理システムの具体的観点において、前記位置情報記憶媒体及び前記認証情報記憶媒体は、それぞれ無線タグ、ＩＣカード、及びバーコードのいずれかである。
【００１１】
本発明に係る第１の出席管理システムは、会場である部屋に設けた席に取り付けられて位置情報を予め保持するとともに、個人認証情報を有し出席者が携行すべき認証情報記憶媒体から個人認証情報を読み取る情報読取装置と、前記情報読取装置によって得た個人認証情報と位置情報とを符合させて管理する管理手段とを備える。この場合、各席で位置情報を特別に入力することなく、位置情報と個人認証情報とを併せて管理することができ、キーワード入力といった煩雑な作業が不要となる。
【００１２】
上記出席管理システムの具体的観点において、前記認証情報記憶媒体は、それぞれ無線タグ、ＩＣカード、及びバーコードのいずれかである。
【００１３】
上記出席管理システムの具体的観点において、前記認証情報記憶媒体は、無線タグであり、前記情報読取装置は、複数の席に対応してそれぞれ設けた複数のアンテナと、当該複数のアンテナを介して前記無線タグとの間で交信する本体処理装置とを備える。
【００１４】
上記出席管理システムの具体的観点において、前記管理手段が、前記情報読取装置を介して得た個人認証情報及び位置情報に基づいて、部屋への出席者の部屋内における着座位置を図示する図示手段を備える。
【００１５】
上記出席管理システムの具体的観点において、前記管理手段は、前記出席者である受講者及び講師の個人認証情報と位置情報とを併せてリアルタイムで管理する。ここで、「講師」とは、狭義の講師に限らず、教授、教師、講演者等を含む概念である。
【００１６】
上記出席管理システムの具体的観点において、前記情報読取装置が、講師が携行すべき講師情報情報記憶媒体から管理者情報を読み取り、前記認証情報記憶媒体、前記位置情報記憶媒体、及び、前記講師情報情報記憶媒体の少なくとも１つが、部屋を特定する部屋情報を有しており、前記管理手段が、前記情報読取装置から得た前記部屋情報と、前記講師情報と、前記個人認証情報に対応させて読み取った時刻に関する時間情報とに基づいて、講演の内容を識別する識別手段を有する。
【００１７】
上記出席管理システムの具体的観点において、前記情報読取装置が、講師が携行すべき講師情報情報記憶媒体から管理者情報を読み取り、前記情報読取装置、前記認証情報記憶媒体、及び、前記講師情報情報記憶媒体の少なくとも１つは、部屋を特定する部屋情報を有しており、前記管理手段が、前記情報読取装置から得た部屋情報と、講師情報と、前記個人認証情報に対応させて読み取った時刻に関する時間情報とに基づいて、講演の内容を識別する識別手段を有する。
【００１８】
上記出席管理システムの具体的観点において、部屋の状態を撮影するカメラと、当該カメラによる撮影対象を制御する撮像制御手段とをさらに備え、前記管理手段は、指定された位置情報又は指定された個人認証情報に対応する位置情報に基づいて、当該位置情報に対応する場所の様子を前記撮像制御手段を介して前記カメラに撮影させる。
【００１９】
上記出席管理システムの具体的観点において、部屋におけるイベントの進行を録画する録画装置をさらに備え、当該録画装置は、前記撮像制御手段によって位置情報に対応する場所の様子を前記カメラに撮影させた場合に、当該カメラに撮影させた画像情報を保存する。
【００２０】
上記出席管理システムの具体的観点において、前記管理手段が、前記カメラに撮影させた画像情報を用いて個人認証を行う。
【００２１】
上記出席管理システムの具体的観点において、部屋から離れた遠隔地に設置されるとともに当該遠隔地における視聴覚的な参加を可能にする遠隔参加ユニットをさらに備え、当該遠隔参加ユニットは、個人認証情報を有し参加者が携行すべき認証情報記憶媒体から遠隔地の位置情報に関連付けて個人認証情報を読み取る遠隔情報読取装置と、当該遠隔情報読取装置で読み取った情報を前記管理手段に送信する送信手段とをさらに備える。
【００２２】
上記出席管理システムの具体的観点において、前記遠隔参加ユニットは、前記遠隔参加ユニットを利用している参加者の様子を撮影する遠隔撮影装置を有し、前記管理手段は、部屋の担当者の操作によって前記遠隔参加ユニットを利用している特定の参加者を指定する指定手段と、当該指定手段によって指定された参加者の様子を前記遠隔撮影装置に撮影させる指令送信装置とを備える請求項１２記載の出席管理システム。
【００２３】
上記出席管理システムの具体的観点において、前記管理手段は、複数の部屋で行われる複数回のイベントごとに個人認証情報と位置情報とを併せて管理する。
【００２４】
上記出席管理システムの具体的観点において、前記認証情報記憶媒体は、無線タグであり、前記認証情報記憶媒体から認証情報を読み取る補助情報読取装置を部屋の出入口にさらに備え、前記管理手段は、前記補助情報読取装置の出力に基づいて途中の入退場を監視する。
【発明を実施するための最良の形態】
【００２５】
〔第１実施形態〕
図１は、本実施形態の出席管理システムの全体構成を示すブロック図である。この出席管理システムは、情報通信システムである第１ネットワーク２と、この第１ネットワーク２に接続されている多数の教室システム３と、情報通信システムである第２ネットワーク４と、この第２ネットワーク４に接続されている多数の遠隔参加ユニット５と、各教室システム３を第１ネットワーク２を介して管理するとともに、各遠隔参加ユニット５を第２ネットワーク４を介して管理する管理サーバ６とを備える。管理サーバ６は、複数の会場すなわち複数の教室システム３等における講義（イベント）の進行状況や受講生の出席状況を統括的に管理している。
【００２６】
図２は、教室システム３の構造を説明するブロック図である。教室システム３は、全体の動作を統括制御する教室管理装置３１と、教室管理装置３１に接続されて講師が操作するインターフェース装置３２と、複数の受講生用の座席を一組として取り付けられる多数の無線タグ用リーダ・ライタ３３と、講師用に教壇側に取り付けられる無線タグ用リーダ・ライタ３４と、教室の出入口に設置されるアンテナゲート３５に付随して設けられる無線タグ用リーダ・ライタ３６と、一対のカメラ３７Ａ，３７Ｂの動作や姿勢を調節して撮影対象を適宜変更するカメラ制御装置３８と、教室外に配置される教室変更受付装置３９とを備える。ここで、教室管理装置３１、インターフェース装置３２等は、図１の管理サーバ６とともに管理手段を構成する。
【００２７】
ここで、教室管理装置３１は、図１の第１ネットワーク２を介して管理サーバ６に接続されており、必要なデータのやり取りを行う。インターフェース装置３２は、教壇に立つ講師が使用するものであり、教室管理装置３１に必要なコマンドを出力することができるとともに、教室管理装置３１から所望の情報を受け取ることができ、その情報を表示するためのディスプレイ３２ａを備える。なお、インターフェース装置３２は、管理サーバ６に直接接続することもできる。
【００２８】
受講生用の無線タグ用リーダ・ライタ３３は、教室管理装置３１の制御下で動作しており、受講生が所持する個人認証用の無線タグとの間で交信するための複数のアンテナ３３ａを備えている。各無線タグ用リーダ・ライタ３３は、個別のＩＤナンバーを持っており、複数のアンテナ３３ａのいずれで無線タグを検出したかを判定できるようになっている。つまり、教室管理装置３１側では、各席の机や椅子等に設けた各アンテナ３３ａのいずれで無線タグを検出したかを判定できるようになっており、座席情報と無線タグのＩＤ情報とを関連付けて保管することができるようになっている。なお、無線タグ用リーダ・ライタ３３が教室管理装置３１にＬＡＮ接続されている場合、無線タグ用リーダ・ライタ３３がＩＰアドレス等の固有のアドレス情報を持つことになるので、このようなアドレス情報を座席情報に変換して記録することができる。
【００２９】
講師用の無線タグ用リーダ・ライタ３４は、教室管理装置３１の制御下で動作しており、講師が所持する個人認証用の無線タグとの間で交信するための複数のアンテナ３４ａ，３４ｂを備えている。無線タグ用リーダ・ライタ３４は、複数のアンテナ３４ａ，３４ｂのいずれで無線タグを検出したかを判定できるようになっている。アンテナ３４ａは、教壇の机に備え付けられており、講師のＩＤ情報を認証できるようになっている。他のアンテナ３４ｂは、教壇に沿って一定間隔で配置されており、講師の立っている場所を判定できるようになっている。つまり、教室管理装置３１側では、講師の登壇の有無や講師の立っている場所を把握できるようになっている。
【００３０】
無線タグ用リーダ・ライタ３６は、教室管理装置３１の制御下で補助情報読取装置として動作しており、教室の出入口に設けたアンテナゲート３５を通過する無線タグのＩＤを特定することができる。つまり、教室管理装置３１側では、教室内に入室した受講生を無線タグのＩＤ情報から特定することができ、教室外に退室した受講生を無線タグのＩＤ情報から特定することができるので、教室内の人員を常時監視することができる。
【００３１】
カメラ制御装置３８は、教室管理装置３１の制御下で撮像制御手段として動作しており、一対のカメラ３７Ａ，３７Ｂの姿勢を調節して目的の対象を撮影させることができるとともに、撮影した対象の像を録画部３８ａに保存することができる。なお、第１のカメラ３７Ａは、主に講師の様子を撮影するためのものであり、教室の背後に設置される。つまり、カメラ制御装置３８は、教室管理装置３１から出力された講師の位置情報に基づいて、第１のカメラ３７Ａの姿勢を調節して講師の姿を常に録画中のフレーム内に納めることができる。なお、講師の位置情報は、上述のアンテナ３４ｂによって無線タグ用リーダ・ライタ３４に監視されている。ここで、第１のカメラ３７Ａやカメラ制御装置３８（特に録画部３８ａ）は、イベントとしての講義や講演の進行を録画する録画装置の役割を有する。一方、第２のカメラ３７Ｂは、主に受講生の様子を撮影するためのものであり、教室の正面に配置される。つまり、カメラ制御装置３８は、教室管理装置３１から出力された受講生の位置情報に基づいて、第２のカメラ３７Ｂの姿勢を調節して講師の姿を常に録画中のフレーム内に納めることができる。なお、受講生の位置情報は、インターフェース装置３２を介して講師が指定した任意の席に向けることができるようになっている。例えば、講師がインターフェース装置３２を利用して特定の受講生を指定して発言を求めた場合に、自動的に第２のカメラ３７Ｂの姿勢を調節して対象とする受講生の姿をフレーム内に納める。対象とする受講生については、教室管理装置３１から顔写真の電子ファイルを読み出すことができるので、教室管理装置３１にて適当な画像処理を施してマッチングを行うことによって、受講生の真正を判定することができる。また、受講生を捕らえた一連の画像は、録画部３８ａに適当なタイミングで保存することができる。
【００３２】
教室変更受付装置３９は、無線タグ、ＩＣカード、バーコード等を利用した個人認証によって、操作可能になり、許可された特定人物が教室管理装置３１に対して適当なコマンドを送信することにより、教室の変更等を教室外から行うことができるようになっている。
【００３３】
図３は、会場である教室の構造を説明する平面図である。この教室には、受講生用に多数の机ＤＥＳが配列されており、正面の教壇には講師用の机ＤＥＴが配置されている。
【００３４】
受講生用の机ＤＥＳは、それぞれ４人掛けとなっており、４つの座席ＳＥを設けている。受講生用の机ＤＥＳを構成する４つの席部分には、適当な場所にシート状若しくはカード状のアンテナ３３ａが固定されている。各アンテナ３３ａは、机ＤＥＳ単位で設けた無線タグ用リーダ・ライタ３３に別々に設けたポートに接続されている。つまり、無線タグ用リーダ・ライタ３３は、４つの席部分のいずれにおいて受講生の個人認証が完了したか否かを判定することができ、かかる席の位置情報とともに取得した個人認証情報を不図示の教室管理装置３１に出力する。
【００３５】
図４は、受講生用の机ＤＥＳの様子を説明する図である。無線タグ用リーダ・ライタ３３からは、各席部分に対応してアンテナ３３ａが延びている。受講生ＳＴは、任意の或いは指定された机ＤＥＳに着席することで、アンテナ３３ａの検出圏内に受講生ＳＴが携帯していたＩＤカードＴＡをかざすことになる。この結果、本体処理装置である無線タグ用リーダ・ライタ３３が動作して、受講生ＳＴが装着するとともに無線タグを内蔵するＩＤカードＴＡから、受講生ＳＴの受講生ＩＤ情報を読み取る。このＩＤ情報は、対応する席の位置情報とともに図２に示す教室管理装置３１に送信される。教室管理装置３１では、席の位置情報と受講生ＩＤ情報とを関連付けて保存するとともに、インターフェース装置３２からの要求に応じて、リストを出力する。これを受けたインターフェース装置３２では、出欠状況をマップ画像として図示手段であるディスプレイ３２ａ上に表示する。つまい、講師は、出席した学生の着座位置と学生番号等とを関連付けて視覚的に表示したマップによって出欠状況を簡易に一覧することができる。なお、受講生ＳＴがＩＤカードＴＡをアンテナ３３ａにかざすタイミングは、入室直後の着席時、講義終了後の退席時、講義中講師が指示したタイミング等、適宜設定することができ、適当に繰り返すこともできる。
【００３６】
図３に戻って、講師用の机ＤＥＴ上には、例えば携帯型のパーソナルコンピュータからなるインターフェース装置３２が載置されており、不図示の教室管理装置３１から延びる通信配線のコネクタＣＯＮに接続されている。このようなインターフェース装置３２は、講師が講義ごとに教室に持ち込むことも可能であるが、教室に備え付けた固定型のものとすることもできる。
【００３７】
その他、教室の２つの出入口ＥＥには、入退室者を監視するためのアンテナゲート３５がそれぞれ設けられており、これらのアンテナゲート３５は、図２の無線タグ用リーダ・ライタ３６に接続されている。また、教室の後側には、講師の様子を撮影する第１のカメラ３７Ａが取り付けられており、教室の前側には、受講生の様子を撮影する第１のカメラ３７Ａが取り付けられており、これらの動作は、図２に示すカメラ制御装置３８によって制御されている。
【００３８】
図５は、遠隔参加ユニット５の構造を説明するブロック図である。遠隔参加ユニット５は、動作制御用のユニット管理装置５１と、ユニット管理装置５１に接続されて遠隔受講生が操作するインターフェース装置５２と、受講生を認証するための無線タグ用リーダ・ライタ５３と、カメラ５７の動作タイミングや姿勢を調節するカメラ制御装置５８とを備える。ここで、無線タグ用リーダ・ライタ５３は、遠隔の位置情報に関連付けて参加者の個人認証情報を読み取る遠隔情報読取装置として機能し、ユニット管理装置５１は、遠隔参加ユニット５で読み取った情報を教室側に送信する送信手段として機能する。また、カメラ５７及びカメラ制御装置５８は、参加者の様子を撮影するための遠隔撮影装置である。
【００３９】
ここで、ユニット管理装置５１は、図１の第２ネットワーク４を介して管理サーバ６に接続されており、必要なデータのやり取りを行う。インターフェース装置５２は、遠隔受講生が使用するものであり、図３に示す教室における講義や講演の状況を表示するためのディスプレイ５２ａを備える。これにより、遠隔受講生は、例えばライブで講義や講演を視聴することができる。また、遠隔受講生は、インターフェース装置５２に設けたキーボードやマウスを利用して管理サーバ６に応答データを送信することができ、また、インターフェース装置５２に設けたマイクを利用して管理サーバ６に音声データを送信することができる。これらの応答データや音声データ、さらに後述する画像データは、教室管理装置３１の管理下、一定の場合にインターフェース装置３２に出力され、ディスプレイ３２ａを介して講師側に提示される。
【００４０】
遠隔受講生用の無線タグ用リーダ・ライタ５３は、ユニット管理装置５１の制御下で動作しており、遠隔受講生が所持する個人認証用の無線タグとの間で交信するためのアンテナ５３ａを備えている。受講生は、遠隔参加ユニット５に着席し、アンテナ５３ａの検出圏内に自己のＩＤカードをかざすことになる。この結果、無線タグ用リーダ・ライタ５３が動作して、対象となるＩＤカードＴＡから、受講生ＩＤ情報を読み取る。このＩＤ情報は、この遠隔参加ユニット５のＩＤ情報（若しくは位置情報）とともに、管理サーバ６を介して図２に示す教室管理装置３１に送信される。教室管理装置３１では、遠隔参加ユニット５のＩＤ情報と受講生ＩＤ情報とを関連付けて保存するとともに、インターフェース装置３２からの要求に応じて、リストを出力する。これを受けたインターフェース装置３２では、出欠状況をマップ画像としてディスプレイ３２ａ上に表示する。
【００４１】
カメラ制御装置５８は、ユニット管理装置５１の制御下で動作しており、カメラ５７の動作タイミングや姿勢を調節して遠隔受講生を撮影させることができるとともに、遠隔受講生の像を録画部５８ａに保存することができる。なお、教室にいる講師がインターフェース装置３２を介して指定することにより、特定の遠隔受講生の画像を任意のタイミングでディスプレイ３２ａに表示することができる。この場合、インターフェース装置３２等が参加者である遠隔受講生の指定手段となり、インターフェース装置３２や教室管理装置３１が指定された遠隔受講生の様子をカメラ５７に撮影させる指令送信装置となる。
【００４２】
〔第２実施形態〕
以下、第２実施形態の出席管理システムについて説明する。本実施形態の出席管理システムは、第１実施形態の出席管理システムを変更したものであり、共通部分には同一の符号を付すなどして、異なる部分についてのみ説明する。
【００４３】
図６は、図２に示す教室システム３を一部変更した教室システム１０３の構造を説明するブロック図である。この教室システム１０３の場合、教室管理装置３１、インターフェース装置３２、無線タグ用リーダ・ライタ３４，３６、カメラ制御装置３８、教室変更受付装置３９等に変更はなく、受講生用の無線タグ用リーダ・ライタ１３３がアンテナ１３３ａを備える回覧型のものとなっている。つまり、講師は、講義や講演を開始する直前、途中、若しくは直後の適当なタイミングで、携帯型の無線タグ用リーダ・ライタ１３３を受講生に回覧し、受講生は、自己の出席の認証を自ら行うことになる。回覧の終了後、講師は、教室管理装置３１やインターフェース装置３２に無線タグ用リーダ・ライタ１３３を接続する。これにより、教室管理装置３１側では、座席情報と無線タグのＩＤ情報とを関連付けて保管することができるようになっている。
【００４４】
無線タグ用リーダ・ライタ１３３とインターフェース装置３２との接続については、無線に限らず有線でも可能であるが、無線接続とした場合、リアルタイムに無線タグの読み出し情報を教室管理装置３１に伝送することが可能となる。
【００４５】
図７は、受講生用の机ＤＥＳの様子を説明する図である。任意の或いは指定された机ＤＥＳに着席した受講生ＳＴは、回覧されてきた無線タグ用リーダ・ライタ３３を受講生ＳＴが携帯していたＩＤカードＴＡに近接させる。これにより、無線タグ用リーダ・ライタ１３３は、無線タグを内蔵するＩＤカードＴＡから、受講生ＳＴの受講生ＩＤ情報を読み取る。さらに、受講生ＳＴは、無線タグ用リーダ・ライタ１３３を受講生ＳＴが着席した席部分の机表面に入りけられたカード状の無線タグシートＴＡ２に近接させる。これにより、情報読取装置である無線タグ用リーダ・ライタ１３３は、位置情報記憶媒体である無線タグシートＴＡ２から、この受講生ＳＴが着席した席部分の位置情報を読み取る。読み取りの結果は、無線タグ用リーダ・ライタ１３３に設けたディスプレイ（不図示）に表示される。受講生ＳＴは、読み取り結果結果が正しければ、ボタン操作等によって読み取り情報を確定させる。このようにして得た席の位置情報と受講生ＩＤ情報とは、無線タグ用リーダ・ライタ１３３に設けたメモリ（不図示）に関連付けて保存される。こうして得た席の位置情報と受講生ＩＤ情報とは、無線タグ用リーダ・ライタ１３３やインターフェース装置３２等に接続することによって教室管理装置３１に保管される。
【００４６】
〔第３実施形態〕
以下、第３実施形態の出席管理システムについて説明する。本実施形態の出席管理システムは、第１実施形態の出席管理システムを変更したものである。
図８は、図２に示す教室システム３を一部変更した教室システム２０３の構造を説明するブロック図である。この場合、無線タグ用リーダ・ライタ３３に着席した受講生が操作することができるスイッチ２３３ｃをアンテナ３３ａごとに設けている。このようなスイッチ２３３ｃは、受講生の発言意思等の確認、講師の質問に対する回答等に利用することができる。
【００４７】
なお、上記のようなスイッチ２３３ｃは、無線タグ用リーダ・ライタ３３によるＩＤカードＴＡの検出動作に置き換えることができる。すなわち、無線タグ用リーダ・ライタ３３によってＩＤカードＴＡが所定のタイミングで所定回数回読み取られた場合、出席者が所定の意思表示をしているものと判断することができる。具体的には、受講生ＳＴが自己のＩＤカードＴＡを短期間に２回アンテナ３３ａにかざした場合、個人認証情報が短期間に２回読み取られることになり、これをもって個人認証情報及び位置情報によって特定された受講生ＳＴが発言を求めていると判断する。
【００４８】
以上実施形態に即して本発明を説明したが、本発明は上記実施形態に限定されるものではない。例えば、上記実施形態では、受講生ＳＴ等の個人認証情報を保持するために無線タグを内蔵するＩＤカードＴＡ等を用いることとしているが、ＩＣカードやバーコード、磁気カード等の携帯可能な情報記録媒体によって受講生ＳＴ等の着席、入室等をチェックすることもできる。この場合、無線タグ用リーダ・ライタ３３等を適当な情報読取装置とする。
【００４９】
また、机表面に入りけられた無線タグシートＴＡ２も、ＩＣカードやバーコード、磁気カード等の携帯可能な情報記録媒体によって置き換えることができる。この場合も、無線タグ用リーダ・ライタ３３等を適当な情報読取装置とする。
【００５０】
また、上記第1実施形態において、無線タグ用リーダ・ライタ３３やＩＤカードＴＡは、教室若しくは講義室を特定する部屋情報を有するものとすることができる。この場合、教室管理装置３１が、識別手段として、無線タグ用リーダ・ライタ３３等から得た部屋情報や、ＩＤカードＴＡの読取時刻である時間情報等に基づいて、講義の内容を識別し、講義の記録として各種情報を保管する。
【００５１】
また、上記第２実施形態において、無線タグシートＴＡ２、無線タグ用リーダ・ライタ１３３、ＩＤカードＴＡ等は、教室若しくは講義室を特定する部屋情報を有するものとすることができる。この場合、教室管理装置３１が、識別手段として、無線タグ用リーダ・ライタ３３等から得た部屋情報や、ＩＤカードＴＡの読取時刻である時間情報等に基づいて、講義の内容を識別し、講義の記録として各種情報を保管する。
【図面の簡単な説明】
【００５２】
【図１】第１実施形態に係る出席管理システムの全体構成を示すブロック図である。
【図２】教室システムの構造を説明するブロック図である。
【図３】会場である教室の構造を説明する平面図である。
【図４】受講生用の机の様子を説明する図である。
【図５】遠隔参加ユニットの構造を説明するブロック図である。
【図６】第２実施形態における教室システムの構造を説明するブロック図である。
【図７】受講生用の机の様子を説明する図である。
【図８】第３実施形態における教室システムの構造を説明するブロック図である。
【符号の説明】
【００５３】
２…第１ネットワーク、  ３…教室システム、  ４…第２ネットワーク、  ５…遠隔参加ユニット、  ６…管理サーバ、  ３１…教室管理装置、  ３２…インターフェース装置、  ３２ａ…ディスプレイ、  ３３…無線タグ用リーダ・ライタ、  ３４…無線タグ用リーダ・ライタ、  ３４ａ…アンテナ、  ３７Ａ，３７Ｂ…カメラ、  ３８…カメラ制御装置、  ３８ａ…録画部、  ３９…教室変更受付装置、  ＤＥＳ…受講生の机、ＤＥＴ…講師用の机  ＳＴ…受講生、  ＴＡ…カード、  ＴＡ２…無線タグシート、ＳＥ…座席、ＥＥ…出入口
【図１】
2005267355.tif 000003
【図２】
2005267355.tif 000004
【図３】
2005267355.tif 000005
【図４】
2005267355.tif 000006
【図５】
2005267355.tif 000007
【図６】
2005267355.tif 000008
【図７】
2005267355.tif 000009
【図８】
2005267355.tif 000010